(57)【要約】  【課題】  簡単な構成でもって、ロゴが突出せず、しかもロゴを回転可能にできるロゴ取付装置を提供する。  【解決手段】  外観部材１２は、ロゴ部材１４を収容する収容部１６を有する。取付台座１８は、収容部１６内に配置され、ロゴ部材１４が回転可能に取り付けられている。弾性変形部であるヒンジ部２０は、取付台座１８と外観部材１２とを連結しており、取付台座１８に取り付けられたロゴ部材１４が収容部１６から出る方向へと弾性変形可能である。弾性変形部および取付台座２８は、外観部材１２と一体に設けられてもよい。【選択図】  図１
2005300618.tif 000002
【特許請求の範囲】
【請求項１】
ロゴ部材と、
前記ロゴ部材を収容する収容部を有する外観部材と、
前記収容部内に配置され、前記ロゴ部材が回転可能に取り付けられた取付台座と、
前記取付台座と前記外観部材とを連結しており、前記取付台座に取り付けられた前記ロゴ部材が前記収容部から出る方向へと弾性変形可能な弾性変形部と、
を備えたことを特徴とするロゴ取付装置。
【請求項２】
前記弾性変形部および前記取付台座は、前記外観部材と一体に設けられ、前記収容部内に配置されていることを特徴とする請求項１に記載のロゴ取付装置。
【請求項３】
前記弾性変形部は、前記外観部材の前記収容部の縁部から延びる細長部材で構成されるヒンジ部であり、前記ヒンジ部に前記取付台座が接続されていることを特徴とする請求項２に記載のロゴ取付装置。
【請求項４】
前記ヒンジ部の前記細長部材は、前記収容部の縁部と前記取付台座との間の空間で屈曲していることを特徴とする請求項３に記載のロゴ取付装置。
【請求項５】
前記ロゴ部材を支持する支持棚が前記収容部の縁に沿って設けられており、前記支持棚には切欠き部が設けられ、前記切欠き部は、前記ロゴ部材の前記切欠き部の位置で前記ロゴ部材が押圧されたときに前記ロゴ部材の反対側が前記収容部から浮き上がる位置および大きさを有していることを特徴とする請求項１ないし３のいずれかに記載のロゴ取付装置。
【請求項６】
前記ロゴ部材および前記収容部は略四角形であり、前記切欠き部は前記収容部の少なくとも一つのコーナー部に設けられていることを特徴とする請求項５に記載のロゴ取付装置。
【発明の詳細な説明】
【技術分野】
【０００１】
本発明は、ロゴ部材が回転可能に取り付けられるロゴ取付装置に関するものである。
【背景技術】
【０００２】
従来のロゴ取付装置においては、外観部材にロゴ部材が圧入等によって取り付けられている。外観部材は典型的には電子機器等の筐体であり、ロゴ部材は典型的には社名等の入ったロゴプレートである（特許文献１参照）。
【特許文献１】特開２００２−３２０２７（第３ページ、図２）
【発明の開示】
【発明が解決しようとする課題】
【０００３】
従来のロゴ取付装置においては、ロゴ部材が外観部材に固定されている。これに対して、ロゴを取り付ける機器等が複数種類の姿勢で設置できるような場合には、設置姿勢に応じてロゴの向きを変えられることが望ましく、そのためにはロゴを回転可能に取り付けることが考えられる。
【０００４】
その一方で、例えばカメラ筐体に設けられるロゴ取付装置では、ロゴが突出し、出っ張っていると、撮影範囲が制約されることがあり、また、ロゴとの干渉を避けるために、外郭部品の形状が制約されることがある。また、デザインの観点から、突出しないようにロゴが設けられることもある。
【０００５】
しかしながら、ロゴ取付装置を複雑化することなく、ロゴを回転可能に取り付ける構成と、ロゴを突出させない構成との両立を実現することは容易でないという問題があった。
【０００６】
本発明は、上記問題を解決するためになされたものであり、その目的は、簡単な構成でもって、ロゴを突出させず、しかもロゴを回転可能なロゴ取付装置を提供することにある。
【課題を解決するための手段】
【０００７】
本発明のロゴ取付装置は、ロゴ部材と、前記ロゴ部材を収容する収容部を有する外観部材と、前記収容部内に配置され、前記ロゴ部材が回転可能に取り付けられる取付台座と、前記取付台座と前記外観部材とを連結しており、前記取付台座に取り付けられた前記ロゴ部材が前記収容部から出る方向へと弾性変形可能な弾性変形部とを備えている。
【０００８】
この構成により、外観部材の収容部にロゴ部材を収容し、収容部内の取付台座にロゴ部材を回転可能に取り付け、取付台座と外観部材を上記のように弾性変形部で連結するという簡単な構成でもって、ロゴが突出せず、しかもロゴを回転可能なロゴ取付装置を提供できる。
【０００９】
なお、本発明の範囲内で、ロゴ部材と外観部材の表面が同一高さでもよい。また、ロゴ部材の方が低く、凹部が形成されてもよい。反対に、ロゴ部材の方がある程度の範囲で高く、ロゴ部材と外観部材との間に適当な段差ができてもよい。このようにロゴ部材の方が高くとも、ロゴの突出が問題にならない範囲または望ましい範囲であればよく、本発明の利点が十分に得られる。
【００１０】
また、本発明のロゴ取付装置において、前記弾性変形部および前記取付台座は、前記外観部材と一体に設けられ、前記収容部内に配置されている。
【００１１】
この構成により、弾性変形部と取付台座を簡単な構成で実現できる。
【００１２】
また、本発明のロゴ取付装置において、前記弾性変形部は、前記外観部材の前記収容部の縁部から延びる細長部材で構成されるヒンジ部であり、前記ヒンジ部に前記取付台座が接続されている。好ましくは、前記細長部材は、前記収容部の縁部と前記取付台座との間で屈曲している。
【００１３】
この構成により、弾性変形部と取付台座を簡単な構成で実現できる。例えば、外観部材が樹脂モールド成形品である。そして、収容部は、その中のヒンジ部と取付台座が外観部材の材料部分であり（すなわち外観部材から連続する部分であり）、残りが空間になるように構成される。これにより、外観部材を作るときにヒンジ部と取付台座も形成できる。
【００１４】
また、本発明のロゴ取付装置では、前記ロゴ部材を支持する支持棚が前記収容部の縁に沿って設けられており、前記支持棚には切欠き部が設けられ、前記ロゴ部材の前記切欠き部の位置で前記ロゴ部材が押圧されたときに、前記ロゴ部材の反対側が前記収容部から浮き上がる位置および大きさを前記切欠き部が有している。
【００１５】
この構成により、ロゴ部材の一部を押すという簡単な作業で、ロゴ部材を収容部から浮き上がらせ、回転させて、向きを変えることができる。
【００１６】
また、本発明のロゴ取付装置において、前記ロゴ部材および前記収容部は略四角形であり、前記切欠き部は前記収容部の少なくとも一つのコーナー部に設けられている。この構成により、ロゴ部材のコーナー部を押すという簡単な作業で、ロゴ部材を収容部から浮き上がらせ、回転させて、向きを変えることができる。
【発明の効果】
【００１７】
上記のように、本発明は、外観部材の収容部から出っ張らないようにロゴ部材を構成し、取付台座にロゴ部材を回転可能に取り付け、取付台座と外観部材を上記のように弾性変形部で連結するという簡単な構成でもって、ロゴが突出せず、しかもロゴを回転可能にできるという効果を有するロゴ取付装置を提供することができるものである。
【発明を実施するための最良の形態】
【００１８】
以下、本発明の実施の形態のロゴ取付装置について、図面を用いて説明する。本実施の形態では、ロゴ取付装置がカメラ装置に備えられる。ただし、本発明のロゴ取付装置がカメラ装置以外の機器に備えられてもよいことはもちろんである。
【００１９】
図１〜図６は、本発明の実施の形態のロゴ取付装置を示しており、図７〜図１０は、ロゴ取付装置が備えられるカメラ装置を４方向から見た図である。
【００２０】
まず、図７〜図１０を参照すると、カメラ装置１０１において、筐体１０３の形状は略三角柱である。筐体１０３は、前面パネル１０５、底面パネル１０７、背面パネル１０９および両側の側面パネル１１１、１１３を有する。そして、底面パネル１０７、背面パネル１０９および側面パネル１１１、１１３は互いに垂直である。これに対して、前面パネル１０５は傾斜している。前面パネル１０５の略中央には透明で半球形状のドーム１１５が備えられている。そして、図示されないが、ドーム１１５内にレンズが備えられている。その他、筐体１０３は、レンズのパンチルト機構、カメラ基板、電源装置等を内蔵している。なお、筐体１０３は、背面パネル１０９に底面パネル１０７および側面パネル１１１、１１３が一体成形されたものであってもよい。
【００２１】
また、筐体１０３の側面１１１には、携帯電話タイプの通信機１１７が取り付けられる。カメラ装置１０１は、撮影した画像を通信機１１７を使って送信できる。カメラ装置１０１は、ネットワークを使って映像を提供するために好適に用いられる。カメラ装置１０１は、例えばＬＡＮに接続され、ＬＡＮを経由して画像を提供する。
【００２２】
カメラ装置１０１の底面パネル１０７には、足１１９が取り付けられている。この足１１９を使い、カメラ装置１０１は、テーブル等に、底面パネル１０７を下にして置いた状態で設置される。
【００２３】
また、背面パネル１０９には、壁掛け具１２１が取り付け可能になっている。壁掛け具１２１は、カメラ装置１０１を図示の姿勢およびその逆さの姿勢で壁に取付可能に構成されている。ここで、壁掛け具１２１は、壁にネジを使用して取り付ける。そして、壁に取付済みの壁掛け具１２１に、背面パネル１０９に設けた掛かり部（図示せず）が組み合わされることで、壁に取り付けることが可能になっている。
【００２４】
したがって、カメラ装置１０１は、図示の姿勢で設置可能であり、かつ、上下逆さの姿勢で設置可能である。
【００２５】
前面パネル１０５には本実施の形態のロゴ取付装置１０が備えられている。ロゴ取付装置１０は、上記のカメラ装置１０１の姿勢変化に応じてロゴの向きを変更可能である。すなわち、図では、底面パネル１０７が下にある姿勢で、ロゴの文字が正しく見えている。カメラ装置１０１を逆さに設置するときは、ロゴを逆さにできる。以下、このロゴ取付装置１０について説明する。
【００２６】
図１、図２において、外観部材１２は、板状の部材であって、カメラ装置１０１の筐体１０３の前面パネル１０５である。外観部材１２にはロゴ部材１４が取り付けられてる。ロゴ部材１４は略四角形のロゴプレートである。ロゴ部材１４には、図示されないがロゴが印刷されている。外観部材１２およびロゴ部材１４は樹脂製である。
【００２７】
外観部材１２は、ロゴ部材１４を収容する収容部１６を有する。収容部１６は、ロゴ部材１４に対応する形状をもった四角形の開口である。ロゴ部材１４および収容部１６は、ロゴ部材１４が収容部１６に収容された状態でロゴ部材１４が外観部材１２から出っ張らない形状を有する。本実施の形態では、ロゴ部材１４が平坦であり、そして、ロゴ部材１４と外観部材１２が同じ高さであり、したがって、ロゴ部材１４と外観部材１２が共通の外表面を形成する。収容部１６内には、取付台座１８およびヒンジ部２０が設けられている。ヒンジ部２０は本発明の弾性変形部に相当する。なお、防水性またはデザイン性の観点から、収容部１６の装置中心側に目隠し用のブライドパーツを設けてもよい。
【００２８】
図３を参照すると、ロゴ部材１４は、平坦のプレート部３０と係合突起３２を有する。係合突起３２は、プレート部３０の背面の略中央部から突出している。係合突起３２の先端には係合爪３４が設けられている。
【００２９】
図４は外観部材１２を示している。図示のように、取付台座１８は、略正方形であり、収容部１６の略中央に位置している。取付台座１８の中央には係合穴２０が貫通している。係合穴２０にロゴ部材１４の係合突起３２が挿入され、係合爪３４が取付台座１８の背面に係合する。これにより、係合突起３２が回転の軸となり、ロゴ部材１４が取付台座１８に回転可能に取り付けられる（図１）。
【００３０】
取付台座１８は、ヒンジ部２０によって外観部材１２に連結されている。ヒンジ部２０は、収容部１６の短辺に相当する端部４０から出て、取付台座１８の端部４２に達する。ヒンジ部２０は、取付台座１８の両側に設けられている。
【００３１】
ヒンジ部２０は、細長部材であり、収容部１６の縁部と取付台座２０の間で屈曲している。より詳細には、ヒンジ部２０の細長部材は、収容部１６の縁の端部４０から出た直後に直角に折れ曲がる。そして、細長部材は、収容部１６の全幅を使って蛇行する。すなわち、細長部材は収容部１６の一方の縁付近でＵターンし、収容部１６の他方の縁部に進み、他方の縁部の付近でＵターンする。本実施の形態では、細長部材は、収容部１６の空間内で２回、Ｕターンする蛇行を行い、それから取付台座１８に至る。このような構成により、収容部１６の狭い空間で、ヒンジ部２０の長さを大きくとることができ、ヒンジ部２０の撓み量を大きくできている。
【００３２】
ヒンジ部２０は、上記のように、細長い部材であり、かつ、収容部１６の縁部と取付台座１８の間で屈曲しており、弾性変形可能である。そして、ヒンジ部２０は、ロゴ部材１４が取付台座１８と共に前面パネルに対して垂直方向に移動するように撓み可能である。このようにして、ヒンジ部２０は、取付台座１８に取り付けられたロゴ部材１４が収容部１６から出る方向へと弾性変形可能に構成されている。
【００３３】
また、上記より明らかなように、外観部材１２、ヒンジ部２０および取付台座１８は一体に設けられている。外観部材１２はモールド成形品である。そして、収容部１６内では、取付台座１８およびヒンジ部２０が樹脂材料部分で、残りが空間である。すなわち、取付台座１８およびヒンジ部２０は外観部材１２の一部である。このような構成により、取付台座１８およびヒンジ部２０は、外観部材１２のモールド成形時に、外観部材１２と一緒に形成できる。
【００３４】
また、収容部１６の縁に沿うように、ロゴ部材１４を支持する支持棚５０が設けられている。支持棚５０と外観部材１２表面の段差の高さが、ロゴ部材１４のプレート部３０の厚さと対応している。
【００３５】
支持棚５０は部分的に切欠き部５２を有している。切欠き部５２の位置でロゴ部材１４を押すと、ロゴ部材１４の押された部分が切欠き部５２に落ち込み、ロゴ部材１４が外観部材１２の表面に対して傾斜する。これにより、ロゴ部材１４の反対側が収容部１６から浮き上がる。この浮上りが発生するように、そして、ユーザの爪または他のツールがロゴ部材１４のプレート部３０の下側に入る程度の隙間が浮上りによって生じるように、切欠き部５２の位置および大きさが設定されている。本実施の形態では、収容部１６が四角形であり、そして、切欠き部５２は、収容部１６の一つのコーナー部に設けられている。
【００３６】
次に、本実施の形態のロゴ取付装置１０の動作を説明する。まず、図１、図２の状態では、ロゴ部材１４が外観部材１２の収容部１６に収容されており、ロゴ部材１４と外観部材１２が平坦になっている。
【００３７】
この状態で、支持棚５０の切欠き部５２に対応する位置で、ロゴ部材１４が押される。上述のように、ここではロゴ部材１４のコーナー部が押される。これにより、ロゴ部材１４のコーナー部が切欠き部５２に嵌り、反対のコーナー部が収容部１６から浮き上がり、ロゴ部材１４のプレート部３０と外観部材１２の間に隙間ができる。この隙間に操作者の爪または他の道具が挿入される。そして、操作者により、ロゴ部材１４が回転される。
【００３８】
図５および図６は、ロゴ部材１４を９０度回転した状態を示している。ロゴ部材１４のプレート部３０が、外観部材１２の外表面に乗っている。プレート部３０は、収容部１６に橋を架けた状態にある。このとき、図示のように、ヒンジ部２０が弾性変形によって撓んでいる。ヒンジ部２０が弾性変形するので、プレート部３０は、図示のように、収容部１６から外に出ることができ、そして、回転できる。この状態では、ロゴ部材１４の表面が操作者の指の腹で押されると、ロゴ部材１４が外観部材１２の上を滑りながら回転する。
【００３９】
ロゴ部材１４はさらに回転される。そして、ロゴ部材１４が１８０度回転されると、ロゴ部材１４は、ヒンジ部２０の弾性力で引き寄せられて、再び収容部１６に収容される。
【００４０】
なお、図１、図２の収容状態でも、ヒンジ部２０が少し弾性変形しており、これにより、ロゴ部材１４は収容部１６内に向かって付勢されている。この初期状態の弾性変形は、ロゴ部材１４の係合突起３２の形状を適切に設定することで実現される。すなわち、図１において、ロゴ部材１４のプレート部３０が支持棚５０に支持されており、この状態で、係合突起３２の係合爪３４が取付台座１８を引き寄せている。ヒンジ部２０が収容部１６の外に向かって撓むと共に、ロゴ部材１４を収容部１６の中に向かって引きつける。この初期状態の変形は小さく、図１、図２には示されていない。このような構成により、ロゴ部材１４は、ガタつくことなく収容部１６に収容される。
【００４１】
以上に、ロゴ取付装置１０のロゴ部材１４の回転動作を説明した。前述のように、本実施の形態では、カメラ装置１０１が複数種類の姿勢で用いられる。姿勢に応じて、ロゴ部材１４が適当に回転される。典型的には、カメラ装置１０１が逆さに配置されるときに、ロゴ部材１４が１８０度回転される。
【００４２】
以上に説明したように、本発明の実施の形態のロゴ取付装置１０によれば、外観部材１２から出っ張らないように収容部１６にロゴ部材１４を収容し、収容部１６内の取付台座１８にロゴ部材１４を回転可能に取り付け、取付台座１８と外観部材２０を弾性変形部で連結するという簡単な構成でもって、ロゴが突出せず、しかもロゴを回転可能なロゴ取付装置を提供できる。
【００４３】
また、本実施の形態のロゴ取付装置１０では、弾性変形部および取付台座１８が、外観部材１２と一体に設けられ、収容部１６内に配置されており、この構成により、弾性変形部と取付台座１８を簡単な構成で実現でき、生産性の点でも有利である。
【００４４】
また、本実施の形態のロゴ取付装置１０において、弾性変形部は、外観部材１２の収容部１６の縁部から延びる細長部材で構成されるヒンジ部２０であり、ヒンジ部２０に取付台座１８が接続されている。この構成により、弾性変形部と取付台座１８を簡単な構成で実現できる。上記実施の形態では、収容部１６は、その中のヒンジ部２０と取付台座１８が外観部材１２の材料部分であり、残りが空間になるように構成される。これにより、外観部材１２を作るときにヒンジ部２０と取付台座１８も形成でき、生産性の観点から非常に有利である。
【００４５】
また、本実施の形態のロゴ取付装置１０では、上記のように支持棚５０に切欠き部５２を設けたことにより、ロゴ部材１４の一部を押すという簡単な作業で、ロゴ部材１４を収容部１６から浮き上がらせ、回転させて、向きを変えることができる。
【００４６】
また、本実施の形態のロゴ取付装置１０では、ロゴ部材１４および収容部１６は略四角形であり、切欠き部５２は収容部１６のコーナー部に設けられており、この構成により、ロゴ部材１４のコーナー部を押すという簡単な作業で、ロゴ部材１４を収容部１６から浮き上がらせ、回転させて、向きを変えることができる。
【００４７】
また、本実施の形態のロゴ取付装置１０は、特別な工具等を使うことなく、簡単な作業でロゴ部材１４を回転でき、この点でも非常に有利である。
【００４８】
なお、上記の実施の形態では、ロゴ取付装置１０がカメラ装置１０１に備えられていた。しかし、冒頭にも述べたように、ロゴ取付装置１０は、カメラ装置以外の機器に備えられてもよい。
【００４９】
また、本実施の形態では、ロゴ部材１４が略長方形であったが、本発明はこれに限定されない。ロゴ部材１４が正方形であり、９０度ずつ回転されてもよい。また、ロゴ部材１４が三角形、四角形または六角形であってもよい。
【００５０】
また、本実施の形態では、外観部材１２の一部がヒンジ部２０および取付台座１８であったが、これら要素は外観部材１２と別体でもよい。例えば、外観部材の両側にスプリングを取り付けるフックが設けられる。同様に、収容部の縁部にも、スプリングを取り付けるフックが設けられる。そして、取付台座と収容部の縁にコイルスプリングが掛けられ、これらがコイルスプリングで連結される。外観部材と取付台座が同時にモールド成形され、成形時にスプリングの両端が外観部材および取付台座に鋳込まれてもよい。
【００５１】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５２】
以上のように、本発明に係るロゴ取付装置は、簡単な構成でもって、ロゴが突出せず、しかもロゴを回転可能にできるという効果を有し、ネットワークに接続されるカメラ装置等として有用である。
【図面の簡単な説明】
【００５３】
【図１】本発明の実施の形態におけるロゴ取付装置を示す図
【図２】ロゴ取付装置の斜視図
【図３】ロゴプレートを示す図
【図４】外観部材である前面パネルを示す図
【図５】回転途中のロゴ取付装置を示す図
【図６】回転途中のロゴ取付装置を示す図
【図７】ロゴ取付装置が取り付けられたカメラ装置の正面図
【図８】ロゴ取付装置が取り付けられたカメラ装置の平面図
【図９】ロゴ取付装置が取り付けられたカメラ装置の側面図
【図１０】ロゴ取付装置が取り付けられたカメラ装置の側面図
【符号の説明】
【００５４】
１０  ロゴ取付装置
１２  外観部材
１４  ロゴ部材
１６  収容部
１８  取付台座
２０  ヒンジ部
３０  プレート部
３２  係合突起
３４  係合爪
５０  支持棚
５２  切欠き部
１０１  カメラ装置
１０３  筐体
１０５  前面パネル
１１５  ドーム
【図１】
2005300618.tif 000003
【図２】
2005300618.tif 000004
【図３】
2005300618.tif 000005
【図４】
2005300618.tif 000006
【図５】
2005300618.tif 000007
【図６】
2005300618.tif 000008
【図７】
2005300618.tif 000009
【図８】
2005300618.tif 000010
【図９】
2005300618.tif 000011
【図１０】
2005300618.tif 000012